(57)【要約】【課題】  複数の負荷回路に対して、１つの検出手段にて過電流異常を検出する場合に於いて、短絡などによる異常発生負荷を容易に特定可能とし、且つ、安価に製作可能な過電流検出方式を提供する。【解決手段】  複数の負荷回路４−１〜４−ｎと、負荷回路４−１〜４−ｎへの給電路に設けられた１つの過電流検出回路２と、負荷回路４−１〜４−ｎと過電流検出回路２の間に設けられた負荷回路４−１〜４−ｎ毎のスイッチング回路３−１〜３−ｎから構成され、給電開始時にスイッチング回路３−１〜３−ｎを順次ＯＮし、スイッチング毎に過電流検出回路２から出力される異常検出信号をモニタすることを特徴とする。【選択図】図１
2009136082.tif 000002
【特許請求の範囲】
【請求項１】
複数の負荷回路と、前記負荷回路への給電路に設けられた１つの過電流検出回路と、前記負荷回路と前記過電流検出回路の間に設けられた前記負荷回路毎のスイッチング回路から構成され、給電開始時に前記スイッチング回路を順次ＯＮし、スイッチング毎に前記過電流検出回路から出力される異常検出信号をモニタすることを特徴とする過電流検出方式。
【請求項２】
給電中に前記負荷回路への電流が予め設定された基準値から外れた場合、前記スイッチング回路をＯＦＦし、請求項１記載のシーケンスを実施することを特徴とする請求項１に記載の過電流検出方式。
【請求項３】
前記スイッチング回路をＦＥＴ、トランジスタ等のスイッチング素子で構成することを特徴とする請求項１又は２記載の過電流検出方式。
【発明の詳細な説明】
【技術分野】
【０００１】
本発明は、異常発生負荷を容易に特定可能とし、且つ、安価に製作可能としたことを特徴とする過電流検出方式に関する。
【背景技術】
【０００２】
従来、過電流検出方式は、複数の負荷回路に対して、１つの検出手段にて過電流異常を検出する場合、負荷の一部の過電流異常によって他の負荷が共倒れするため、異常発生負荷を特定することが困難であり、また、各々の負荷回路に対して、各々の過電流検出手段を用いる場合、異常発生負荷の特定が容易化されるが、回路物量が増すため高コスト化の懸念があった。
【０００３】
よって、複数の負荷回路に対して、１つの検出手段にて過電流異常を検出する方法を用いて、短絡などによる異常発生負荷を容易に特定可能とし、且つ、安価に製作可能とすることが要求されている。
【０００４】
特許文献１には、ディスクアレイ装置などのように複数の負荷を接続した電源回路において、負荷の一部の異常によって、他の負荷が共倒れすることを防止する技術が公開されている。この技術は、複数の負荷を接続したコンバータ装置を備える電源回路において、複数の負荷の各々についての異常検出手段と当該異常検出手段にて異常が検出された場合に、その負荷への電源の供給を停止する電源供給停止スイッチを設けるものである。
【０００５】
【特許文献１】特開２００１−３５２６７４号公報
【発明の開示】
【発明が解決しようとする課題】
【０００６】
しかしながら、従来の技術には以下にあげる問題点があった。複数の負荷回路に対して、１つの検出手段にて過電流異常を検出する場合、負荷の一部の過電流異常によって他の負荷が共倒れするため、異常発生負荷を特定することが困難であり、また、各々の負荷回路に対して、各々の過電流検出手段を用いる場合、異常発生負荷の特定が容易化されるが、回路物量が増すため高コスト化の懸念があった。
【０００７】
本発明は、斯かる問題点を鑑みてなされたものであり、その目的とするところは、複数の負荷回路に対して、１つの検出手段にて過電流異常を検出する場合に於いて、短絡などによる異常発生負荷を容易に特定可能とし、且つ、安価に製作可能な過電流検出方式を提供する点にある。
【課題を解決するための手段】
【０００８】
請求項１記載の本発明は、複数の負荷回路と、前記負荷回路への給電路に設けられた１つの過電流検出回路と、前記負荷回路と前記過電流検出回路間に設けられた前記負荷回路毎のスイッチング回路から構成され、給電開始時に前記スイッチング回路を順次ＯＮし、スイッチング毎に前記過電流検出回路から出力される異常検出信号をモニタすることを特徴とする過電流検出方式である。
【０００９】
請求項２記載の本発明は、請求項１に記載の回路構成に於ける過電流検出方式であって、給電中に前記負荷回路への電流が予め設定された基準値から外れた場合、前記スイッチング回路をＯＦＦし、請求項１記載のシーケンスを実施することを特徴とする請求項１に記載の過電流検出方式である。
【００１０】
請求項３記載の本発明は、前記スイッチング回路をＦＥＴ、トランジスタ等のスイッチング素子で構成することを特徴とする請求項１又は２記載の電流検出方式である。
【発明の効果】
【００１１】
以上の通り、本発明によれば、複数の負荷回路に対して、１つの検出手段にて過電流異常を検出する場合に於いて、短絡などによる異常発生負荷を容易に特定可能とし、且つ、安価に製作可能な過電流検出方式を提供することができる。
【発明を実施するための最良の形態】
【００１２】
以下、本発明の実施の形態を図面を用いて詳細に説明する。図１は本実施の形態に係る過電流検出方式の概要を表すブロック図、図２はその過電流検出方式の動作を説明するタイミングチャート図である。
【００１３】
図１に示すように、本実施の形態に係る過電流検出方式は、電源部１と、過電流検出回路２と、スイッチング回路３−１〜３−ｎと、負荷回路４−１〜４−ｎとで概略構成される（ｎは整数）。
【００１４】
電源部１は、過電流検出回路２に直流電力６（電圧、出力定格電流）を供給する。過電流検出回路２は、パワーオン信号７を取り込み、電源部１からスイッチング回路３−１〜３−ｎに直流電力６を供給する。この時、過電流検出回路２は、負荷回路４−１〜４−ｎ以外の短絡異常を確認する。その後、スイッチング制御信号９−１〜９−ｎをスイッチング回路３−１〜３−ｎに順次入力し、スイッチング回路３−１〜３−ｎを順次ＯＮすることで、電源部１からの直流電力６を負荷回路４−１〜４−ｎに順次供給し、その都度、過電流検出回路２から出力される異常検出信号８をモニタするシーケンスを組む。このように構成することにより、パワーオン時に於ける短絡などによる異常発生負荷を容易に特定可能となる。
【００１５】
負荷回路４−１〜４−ｎに直流電力６を供給後、例えば、負荷回路４−ｎで短絡異常が発生した場合、過電流検出回路２にて過電流異常を検出し、スイッチング回路３−１〜３−ｎは、スイッチング回路制御信号９−１〜９−ｎを遮断（ＯＦＦ）することで、負荷回路４−１〜４−ｎへの直流電力６の供給を停止する。同時に、過電流検出回路２は、異常検出信号８を出力（ＯＮ）し、パワーオン信号７を遮断（ＯＦＦ）することで、スイッチング回路３−１〜３−ｎへの直流電力６の供給を停止する。その後、過電流検出回路２は、再びパワーオン信号７を取り込むことで、スイッチング回路３−１〜３−ｎに直流電力６を供給し、異常検出信号８を遮断（ＯＦＦ）する。この時、過電流検出回路２は、負荷回路４−１〜４−ｎ以外の短絡異常を確認する。
【００１６】
しかる後、スイッチング制御信号９−１〜９−ｎをスイッチング回路３−１〜３−ｎに順次入力し、スイッチング回路３−１〜３−ｎを順次ＯＮすることで、電源部１からの直流電力６を負荷回路４−１〜４−ｎに順次供給し、その都度、過電流検出回路２から出力される異常検出信号８をモニタするシーケンスを組むことで、負荷回路４−ｎで発生した過電流異常を特定する。
【００１７】
このように構成することにより、負荷回路４−１〜４−ｎへの給電中に於ける短絡などによる異常発生負荷を容易に特定可能となる。また、スイッチング回路にＦＥＴ、トランジスタ等のスイッチング素子にて構成することで、過電流検出方式を安価に製作可能となる。
【図面の簡単な説明】
【００１８】
【図１】本発明の実施形態に係る過電流検出制御システムの概要を表すブロック図である。
【図２】過電流検出方式の動作を説明するタイミングチャートである。
【符号の説明】
【００１９】
１は電源部、２は過電流検出回路、３−１〜３−ｎはスイッチング回路、４−１〜４−ｎは負荷回路、５は給電路、６は直流電流、７はパワーオン信号、８は異常検出信号、９−１〜９−ｎはスイッチング回路制御信号である。
【図１】
2009136082.tif 000003
【図２】
2009136082.tif 000004